(57)【特許請求の範囲】
【請求項１】
サンゴが活着するサンゴ活着床と、
前記サンゴ活着床よりも自然電位が卑であり、かつ前記サンゴ活着床と電気的に接続される陽極と、
海底に設置され、かつ前記サンゴ活着床と前記陽極とを海中に支持する支持手段と、
を含むことを特徴とするサンゴ造礁用構造物。
【請求項２】
前記支持手段は一対の多孔質部材であり、前記サンゴ活着床は一対の前記多孔質部材の間に配置されることを特徴とする請求項１に記載のサンゴ造礁用構造物。
【請求項３】
前記陽極は、前記支持手段に対して着脱可能に取り付けられることを特徴とする請求項１又は２に記載のサンゴ造礁用構造物。
【請求項４】
前記支持手段は、円弧状の部材であり、前記サンゴ活着床が前記円弧状の部材に沿って配置されることを特徴とする請求項１に記載のサンゴ造礁用構造物。
【請求項５】
前記支持手段に沿って配置された前記サンゴ活着床の内側に前記陽極が配置されることを特徴とする請求項４に記載のサンゴ造礁用構造物。
【請求項６】
前記陽極は、網状の絶縁体で形成されて、内部に前記陽極を格納する陽極格納体を介して前記支持手段に取り付けられることを特徴とする請求項１〜５のいずれか１項に記載のサンゴ造礁用構造物。
【請求項７】
網状の部材を波状に形成して前記サンゴ活着床とすることを特徴とする請求項１〜６のいずれか１項に記載のサンゴ造礁用構造物。
【請求項８】
網状かつ板状の部材の端部を前記サンゴ造礁用構造物の外側に向けて突出させて、前記サンゴ活着床とすることを特徴とする請求項１〜６のいずれか１項に記載のサンゴ造礁用構造物。
【請求項９】
前記サンゴ活着床は、表面に多孔質の被覆層が設けられることを特徴とする請求項１〜８のいずれか１項に記載のサンゴ造礁用構造物。
【請求項１０】
前記サンゴ活着床と前記陽極との間には、電流制御手段が設けられることを特徴とする請求項１〜９のいずれか１項に記載のサンゴ造礁用構造物。
【発明の詳細な説明】
【技術分野】
【０００１】
本発明は、サンゴの人工増殖に関するものである。
【背景技術】
【０００２】
近年、埋め立てや地球の温暖化に起因する海水温度の上昇等によって、サンゴ群集の白化やサンゴの死滅といったサンゴ礁の衰退が問題となっている。このため、近年においては、サンゴを人工的に増殖させて、サンゴ礁を回復させる試みが提案されている。特許文献１には、次のようなサンゴの増殖方法が開示されている。これは、プラヌラ幼生が着生し得る着生基盤を海底に有する海域に、底部が開放されてプラヌラ幼生が着生基盤に着生するのを妨げず、かつプラヌラ幼生が拡散するのを防止ないし抑制する拡散防止手段を配置する。そして、プラヌラ幼生、あるいはこれらが浮遊する海水を、拡散防止手段により取り囲まれた領域に投入する。
【０００３】
【特許文献１】特開２００３−２１９７５１号公報
【発明の開示】
【発明が解決しようとする課題】
【０００４】
しかし、特許文献１に開示された技術は、プラヌラ幼生の拡散防止手段や、プラヌラ幼生、あるいはこれらが浮遊する海水を、拡散防止手段により取り囲まれた領域に投入する手段が必要であり、設備が大掛かりになる。このため、サンゴ群集の白化やサンゴの死滅といったサンゴ礁の衰退が起こった海域を広範囲にわたって修復することに対しては改善の余地がある。
【０００５】
そこで、この発明は、上記に鑑みてなされたものであって、サンゴ群集の白化やサンゴの死滅といったサンゴ礁の衰退が起こった海域を広範囲にわたって修復することに適したサンゴ造礁用構造物を提供することを目的とする。
【課題を解決するための手段】
【０００６】
上述した課題を解決し、目的を達成するために本発明に係るサンゴ造礁用構造物は、サンゴが活着するサンゴ活着床と、前記サンゴ活着床よりも自然電位が卑であり、かつ前記サンゴ活着床と電気的に接続される陽極と、海底に設置され、かつ前記サンゴ活着床と前記陽極とを海中に支持する支持手段と、を含むことを特徴とする。
【０００７】
このサンゴ造礁用構造物は、サンゴ活着床を陰極とし、また、このサンゴ活着床よりも自然電位が卑であり、かつサンゴ活着床と電気的に接続される陽極を、前記サンゴ活着床とともに海底に設置される支持手段によって支持する。そして、いわゆる流電陽極法により陽極からサンゴ活着床に向かって電流を流して、サンゴ活着床に活着したサンゴの成長を促進する。このように、いわゆる流電陽極法を用いるので、簡単な構成でサンゴの成長を促進できる。また、サンゴ造礁用構造物は、簡単な構成であるため大型化しやすく、また、設置海域まで容易に搬送することができ、さらに、設置においては設置海域へ投入すればよいので、比較的容易に設置することができる。これによって、このサンゴ造礁用構造物を投入すれば、サンゴ群集の白化やサンゴの死滅といったサンゴ礁の衰退が起こった海域を広範囲にわたって修復することができる。
【０００８】
次の本発明に係るサンゴ造礁用構造物は、前記サンゴ造礁用構造物において、前記支持手段は一対の多孔質部材であり、前記サンゴ活着床は一対の前記多孔質部材の間に配置されることを特徴とする。
【０００９】
このサンゴ造礁用構造物は、前記サンゴ造礁用構造物の構成を備えるので、前記サンゴ造礁用構造物と同様の作用、効果を奏する。さらに、このサンゴ造礁用構造物は、支持手段を一対の多孔質部材で構成し、サンゴ活着床を一対の前記多孔質部材の間に配置する。これによって、サンゴ造礁用構造物の軽量化を図ることができ、また、多孔質材料に生物が付着することにより、サンゴが成育しやすい環境を作り出すことができる。
【００１０】
次の本発明に係るサンゴ造礁用構造物は、前記サンゴ造礁用構造物において、前記陽極は、前記支持手段に対して着脱可能に取り付けられることを特徴とする。
【００１１】
このサンゴ造礁用構造物は、前記サンゴ造礁用構造物の構成を備えるので、前記サンゴ造礁用構造物と同様の作用、効果を奏する。さらに、このサンゴ造礁用構造物は、支持手段に設けられる取付座を介して、前記支持手段に対して着脱可能に陽極を取り付ける。流電陽極法において、陽極は時間の経過とともに消耗するが、このサンゴ造礁用構造物によれば、消耗した陽極を簡易に交換することができる。
【００１２】
次の本発明に係るサンゴ造礁用構造物は、前記サンゴ造礁用構造物において、前記支持手段は、円弧状の部材であり、前記サンゴ活着床が前記円弧状の部材に沿って配置されることを特徴とする。
【００１３】
このサンゴ造礁用構造物は、前記サンゴ造礁用構造物の構成を備えるので、前記サンゴ造礁用構造物と同様の作用、効果を奏する。さらに、このサンゴ造礁用構造物は、円弧状の部材に沿ってサンゴ活着床を取り付ける。これによって、サンゴ造礁用構造物をより軽量にすることができ、移動、設置がさらに容易になる。このとき、次の本発明に係るサンゴ造礁用構造物のように、前記支持手段に沿って配置された前記サンゴ活着床の内側に前記陽極が配置することが好ましい。このようにすれば、陽極と、陰極であるサンゴ活着床との距離が、サンゴ活着床の場所によらず略一定にできるので、サンゴ活着床の場所による電流のばらつきを低減できる。
【００１４】
次の本発明に係るサンゴ造礁用構造物は、前記サンゴ造礁用構造物において、前記陽極は、網状の絶縁体で形成されて、内部に前記陽極を格納する陽極格納体を介して前記支持手段に取り付けられることを特徴とする。
【００１５】
このサンゴ造礁用構造物は、前記サンゴ造礁用構造物の構成を備えるので、前記サンゴ造礁用構造物と同様の作用、効果を奏する。さらに、このサンゴ造礁用構造物は、網状の絶縁体で形成される陽極格納体の内部に陽極を配置する。これによって、消耗した陽極を容易に交換することができる。
【００１６】
次の本発明に係るサンゴ造礁用構造物は、前記サンゴ造礁用構造物において、網状の部材を波状に形成して前記サンゴ活着床とすることを特徴とする。
【００１７】
このサンゴ造礁用構造物は、前記サンゴ造礁用構造物の構成を備えるので、前記サンゴ造礁用構造物と同様の作用、効果を奏する。さらに、このサンゴ造礁用構造物は、サンゴ活着床を、網状の部材を波状に形成して構成する。これによって、サンゴ活着床に活着したサンゴを、サンゴを食害する魚類から保護することができる。なお、波状には、山部及び谷部が直線状や曲面状に形成されるものの他、山部及び谷部が平面状に形成される場合も含まれるものとする。
【００１８】
次の本発明に係るサンゴ造礁用構造物は、前記サンゴ造礁用構造物において、網状かつ板状の部材の端部を前記サンゴ造礁用構造物の外側に向けて突出させて、前記サンゴ活着床とすることを特徴とする。
【００１９】
このサンゴ造礁用構造物は、前記サンゴ造礁用構造物の構成を備えるので、前記サンゴ造礁用構造物と同様の作用、効果を奏する。さらに、このサンゴ造礁用構造物は、サンゴ活着床を、網状かつ板状の部材の端部を前記サンゴ造礁用構造物の外側に向けて突出させて構成する。これによって、サンゴ活着床に活着したサンゴを、サンゴを食害する魚類から保護することができる。
【００２０】
次の本発明に係るサンゴ造礁用構造物は、前記サンゴ造礁用構造物において、前記サンゴ活着床は、表面に多孔質の被覆層が設けられることを特徴とする。
【００２１】
このサンゴ造礁用構造物は、前記サンゴ造礁用構造物の構成を備えるので、前記サンゴ造礁用構造物と同様の作用、効果を奏する。さらに、このサンゴ造礁用構造物は、表面に多孔質の被覆層を設けるので、サンゴの骨格と被覆層とがなじみやすくなるため、サンゴがサンゴ活着床に活着しやすくなる。
【００２２】
次の本発明に係るサンゴ造礁用構造物は、前記サンゴ造礁用構造物において、前記サンゴ活着床と前記陽極との間には、電流制御手段が設けられることを特徴とする。
【００２３】
このサンゴ造礁用構造物は、前記サンゴ造礁用構造物の構成を備えるので、前記サンゴ造礁用構造物と同様の作用、効果を奏する。さらに、このサンゴ造礁用構造物は、サンゴ活着床と陽極との間に、抵抗やダイオード等の電流制御手段を設ける。これによって、サンゴを成育させる海域の流速や塩分濃度等といった海象状況に応じて陽極−サンゴ活着床（陰極）間を流れる電流を調整できるので、海象状況に応じて陰極の周辺をサンゴの成育に最適な環境とすることができる。
【発明の効果】
【００２４】
この発明に係るサンゴ造礁用構造物は、サンゴ群集の白化やサンゴの死滅といったサンゴ礁の衰退が起こった海域を広範囲にわたって修復することができる。
【発明を実施するための最良の形態】
【００２５】
以下、この発明につき図面を参照しつつ詳細に説明する。なお、この発明を実施するための最良の形態（以下実施形態という）によりこの発明が限定されるものではない。また、下記実施形態における構成要素には、当業者が容易に想定できるもの、実質的に同一のもの、いわゆる均等の範囲に属するものが含まれる。
【００２６】
この実施形態は、サンゴが活着するサンゴ活着床を陰極とし、また、前記サンゴ活着床よりも自然電位が卑の陽極を前記サンゴ活着床と電気的に接続として、海中に設置される支持手段によって前記サンゴ活着床と前記陽極とを海中に支持する。そして、陽極と陰極であるサンゴ活着床との間に流れる電流によって、サンゴ活着床へのサンゴの活着及び成長を促進する点に特徴がある。
【００２７】
（実施形態１）
図１は、実施形態１に係るサンゴ造礁用構造物の構成を示す正面図である。図２は、実施形態１に係るサンゴ造礁用構造物の構成を示す平面図である。図３は、実施形態１に係るサンゴ造礁用構造物の構成を示す側部図である。このサンゴ造礁用構造物１は、サンゴ活着床１１を備えている。そして、サンゴ造礁用構造物１を海底Ｂに設置して、サンゴ活着床１１に活着させた、あるいは自然に活着したサンゴＣを育成する。このサンゴ造礁用構造物１では、後述するように流電陽極法を用いてサンゴの活着及び成長を促進させるものであり、サンゴ活着床１１が流電陽極（以下陽極という）１０に対する陰極となる。
【００２８】
このサンゴ造礁用構造物１は、多孔質コンクリートで構成された一対の多孔質の支持体２を支持手段として、サンゴ活着床１１及び陽極１０を支持する。支持体２は、多孔質コンクリートを鉄筋等で強化してもよいし、鉄板にセラミック粉末や多孔質コンクリートを塗布して構成してもよい。
【００２９】
一対の支持体２は、底側連結部材３で連結される。底側連結部材３は、支持体２と一体で構成してもよいし、例えば鉄骨をトラス状に組み合わせて構成してもよい。この実施形態に係るサンゴ造礁用構造物１では、一対の支持体２の間にサンゴ活着床１１を配置するとともに、支持体２の側部２Ｓにもサンゴ活着床１１を配置する。また、陽極１０は、一対の支持体２同士を連結するように配置され、また、支持体２の側部２Ｓにも配置される。
【００３０】
一対の支持体２及び底側連結部材３で囲まれる空間内には、例えば人工のライブロック４が配置されて、サンゴ造礁用構造物１の錘として利用される。また、ライブロック４にもサンゴを活着させることができる。前記空間からライブロック４を取り出し、また、新たなライブロック４を前記空間内に配置できるように、サンゴ造礁用構造物１の端部には開口部を設けることが好ましい。
【００３１】
サンゴ活着床１１は、陽極１０に対する陰極となるので、流電陽極よりも自然電位が貴である材料が用いられる。この実施形態において、サンゴ活着床１１は、線状の陰極材料を格子状に組み合わせた網状の構造物である。サンゴ活着床１１は、陰極材料を網状にしたまま用いてもよいが、陰極材料の表面を、例えばセラミックの粉末や多孔質コンクリート等で被覆し、多孔質の被覆層を形成して用いてもよい。このようにすれば、サンゴＣの骨格と被覆層とがなじみやすくなるため、サンゴＣがサンゴ活着床１１に活着しやすくなる。また、自然にサンゴの幼生（プラヌラ幼生）等が活着しやすくなる。
【００３２】
また、多孔質コンクリート等で構成した多孔質体の支持体２の内部に、例えば鋼やステンレス鋼等で構成した陰極を設け、この陰極と陽極１０とを電気的に接続して、支持体２とサンゴ活着床とを一体として構成してもよい。この場合、陽極１０と陰極との間には、電流の導通が確保できるような構造とする。例えば、上述したように、多孔質体で支持体２を構成し、その内部に陰極を配置する。このようにすると、サンゴＣの骨格と多孔質体とがなじみやすくなるため、サンゴＣが支持体２の表面に活着しやすくなる。
【００３３】
陽極１０は、棒状の部材を円弧状に形成して構成され、複数の陽極１０が、支持体２の長手方向に向かって所定の間隔で、支持体２に取り付けられる。なお、陽極１０の形状はこれに限定されるものではない。また、陽極１０の個数は、サンゴ活着床１１の個数や、陽極１０からサンゴ活着床１１に向かって流れる電流の電流密度の大きさ等によって適宜決定する。ここで、陽極１０とサンゴ活着床１１とは、電気的に接続されている。
【００３４】
図４−１は、実施形態１に係るサンゴ造礁用構造物で採用する流電陽極法を説明するための概念図である。この実施形態に係るサンゴ造礁用構造物１では、いわゆる流電陽極法を利用した電着により、陰極であるサンゴ活着床１１に電着鉱物を析出させて、サンゴ活着床１１に着底したサンゴＣの活着及び成長を促進する。次の説明においては、陰極をサンゴ活着床１１とするため、サンゴ活着床１１と陰極とは同義である。
【００３５】
図４−１に示すように、サンゴＣを着底させるサンゴ活着床１１を陰極とするとともに、陰極（サンゴ活着床１１）よりも自然電位が卑な金属を陽極（流電陽極）１０として配置する。そして、陽極１０と陰極（サンゴ活着床１１）とを導体ｌで接続し、陽極１０、陰極（サンゴ活着床１１）、及び陽極１０と陰極（サンゴ活着床１１）との間に介在する電解質（海水）の電池作用を利用して、陽極１０−陰極（サンゴ活着床１１）間に電流を流す。これによって、陰極（サンゴ活着床１１）にはＣａＣＯ3、Ｍｇ（ＯＨ）2、ＭｇＣＯ3等の石灰質（電着鉱物）を析出させるとともに、陰極（サンゴ活着床１１）の周辺環境のアルカリ化を促進する。
【００３６】
陰極（サンゴ活着床１１）に析出した石灰質は、サンゴＣが活着する基盤となる。また、陰極（サンゴ活着床１１）の周辺環境のアルカリ化が促進される（すなわち陰極の周辺における海水のｐＨが上昇する）と、サンゴＣの石灰化に必要なエネルギーが小さくなるため、サンゴＣの成長速度及び耐性を向上させる。これらの作用によって、この実施形態に係るサンゴ養殖装置では、サンゴＣの成長を促進させるとともに、サンゴ活着床１１への活着をより確実なものとすることができる。
【００３７】
流電陽極法を用いる場合において、陰極（サンゴ活着床１１）への石灰質の析出及び陰極（サンゴ活着床１１）周辺における環境のアルカリ化を促進させるためには、陽極（流電陽極）１０の種類が重要になる。陰極電位が約−１０００ｍＶ（飽和かんこう電極基準、以下省略）より貴側（電位が高い）であれば、陰極（サンゴ活着床１１）における反応は、おおむね式（１）で表される酸素還元反応で、電流密度の大きさは１００ｍＡ／ｍ2程度である。この反応に対応する陽極１０は、アルミニウム系の材料で構成するが、上記電流値では石灰質の析出は遅くなる。一方、陽極１０の消耗は比較的小さいため、陽極１０の寿命は長くなる。
Ｏ2＋Ｈ2Ｏ＋４ｅ-→４ＯＨ-・・・（１）
【００３８】
一方、陰極電位が−１１００ｍＶより卑側（電位が低い）であれば、陰極（サンゴ活着床１１）における反応は、おおむね式（２）で表される水素発生反応で、電流密度の大きさは１０００ｍＡ／ｍ2以上も可能となる。この反応に対応する陽極１０は、マグネシウム系の材料で構成する。上記電流値では、石灰質の析出は早くなるが、流電陽極の消耗が大きく、陽極１０の寿命は短くなる。
２Ｈ2Ｏ＋２ｅ-→Ｈ2＋２ＯＨ-・・・（２）
この実施形態においては、石灰質の析出や陽極１０の消耗、あるいは藻や貝類等の付着抑制等を考慮して、陽極１０の材料を選択したり、陽極１０の形状や配置等を変更したりする。例えば、初期においては陽極から陰極へ流れる電流を大きくして藻類や貝類の付着を抑制し、ある程度の期間が経過したら、前記電流を小さくして、サンゴの成長を促進する。
【００３９】
サンゴＣの成長を促進させるためには、少なくとも通常の電気防食における電流密度（１００ｍＡ／ｍ2程度）よりも大きいことが好ましい。好ましくは、通常の電気防食における電流密度の２倍以上１０倍以下である。これを実現するためには、陰極電位を−１０００ｍＶ程度よりも低くすればよい。そして、サンゴＣの成長を促進させるにあたっては、前記電流密度を実現できるような陽極１０の材料や配置等を選択する。
【００４０】
また、サンゴＣの成長を促進させるにあたっては、サンゴＣを育成する海域の流速に応じて、前記電流密度を変更することが好ましい。より具体的には、サンゴＣを生育する海域の流速が大きくなるにしたがって前記電流を大きくする。これによって、より確実に陰極（サンゴ活着床１１）への石灰質の析出及び陰極（サンゴ活着床１１）周辺における環境のアルカリ化を促進させることができる。
【００４１】
ここで、陰極（サンゴ活着床１１）の材料は、自然電位が陽極１０よりも貴側（電位が高い）の金属であればよいが、海水中で用いることを考慮して、ステンレス鋼、あるいはチタン（Ｔｉ）やチタン化合物等の耐食性が高い金属を用いることが好ましい。また、陽極１０は、上述したように、陰極（サンゴ活着床１１）よりも卑側（電位が低い）の金属を用いる。このような金属の中から、陽極１０を構成する材料としては、適用される電流の大きさや寿命を考慮して、例えば、亜鉛、亜鉛合金（亜鉛系）、アルミニウム、アルミニウム合金（アルミニウム系）、マグネシウム、マグネシウム合金（マグネシウム系）の中から少なくとも一つを用いる。
【００４２】
大きな電流を流すためには陽極１０にマグネシウム系を用い、これよりも電流が小さくてよい場合には陽極１０に亜鉛系又はアルミニウム系を適用する。ただし、電流の大きいマグネシウム系では寿命が短く、また、電流の小さな亜鉛系及びアルミニウム系では長寿命となるので、適宜使い分ける。初期に大電流、後半の中電流を維持する目的で、マグネシウム系と亜鉛系との組み合わせ、あるいはマグネシウム系とアルミニウム系の組み合わせとしてもよい。
【００４３】
この実施形態に係るサンゴ造礁用構造物１'では、陰極とサンゴ活着床１１とを同一としているが、陰極とサンゴ活着床１１とを別個に用意してもよい。例えば、鋼やステンレス鋼の陰極と陽極１０とを用意するとともに、例えば、金属線や繊維等をセラミック粉で被覆したシートを、サンゴ活着床１１として陰極の近傍に配置する。この場合、陽極１０と陰極との間にサンゴ活着床１１を配置すれば、より効率よく電着鉱物をサンゴ活着床１１に堆積させることができるので、サンゴＣの成長をより促進させることができ、好ましい。
【００４４】
図４−２は、実施形態１に係るサンゴ造礁用構造物の他の構成例を示す概念図である。図４−２に示すサンゴ造礁用構造物１'のように、陰極であるサンゴ活着床１１と陽極１０との間に、陽極１０−サンゴ活着床１１間を流れる電流の大きさを制御可能な電流制御手段（例えばダイオードや抵抗）２０を設けてもよい。例えば、陽極１０とサンゴ活着床１１とに対して直列にダイオードを挿入する。これによって、ポリプを養殖する海域の流速や塩分濃度等といった海象状況に応じて陽極１０−サンゴ活着床１１間を流れる電流を調整できるので、海象状況に応じて陰極の周辺をポリプの育成に最適な環境とすることができる。
【００４５】
この実施形態では、サンゴ活着床１１に直接サンゴＣを活着させるが、例えば、セラミックシート等にサンゴのプラヌラ幼生を捕獲し、着底させたものを、サンゴ活着床１１上に配置して、プラヌラ幼生から変態したポリプの活着、成長を促進してもよい。このようにしても、電着による電着鉱物の析出、サンゴ活着床１１の周辺環境のアルカリ化が促進されるので、サンゴＣの成長が促進される。
【００４６】
図５は、陽極を交換可能とした場合の構成例を示す概念図である。この構成は、支持体２に陽極１０の取付座５を設け、この取付座５へ陽極１０と端部を差し込むことにより、陽極１０を支持体２へ着脱可能に取り付ける。そして、陽極１０を交換する際には、取付座５から陽極１０を取り外し、新しい陽極１０を取付座５へはめ込む。これにより、陽極１０が消耗した場合でも、簡単に新しい陽極１０へ交換することができる。なお、取付座５を設けなくとも、支持体２へ陽極１０の端部を差し込む取付穴を設けて、陽極１０を支持体２へ着脱可能に取り付けてもよい。また、支持体２の側部２Ｓに取り付ける陽極１０も同様の構成とする。
【００４７】
図６〜図８は、陽極を交換可能とした場合の他の構成例を示す概念図である。この構成は、複数の陽極要素１０Ｅを連結して陽極１０'を構成するとともに、絶縁体で構成される陽極格納体６内へ陽極１０'を配置するものである。図６、図８に示すように、陽極格納体６は網状の筒を円弧状としたもので、内部に陽極１０'を格納できるようになっている。陽極格納体６は、それぞれの端部が一対の支持体２のそれぞれに取り付けられており、一対の支持体２を連結するようになっている。また、陽極格納体６には、開口部６ｉｎが設けられており、陽極１０ａを陽極格納体６に出し入れする。
【００４８】
図７に示すように、陽極１０'は、複数の陽極要素１０Ｅを導体で構成される導線１３で連結する。これによって、複数の陽極要素１０Ｅは、すべて電気的に接続されるとともに、導線１３の部分を折り曲げることによって、陽極１０ａ全体としての形状をある程度自由に変えることができる。サンゴ造礁用構造物１（例えば図１参照）を使用する際には、陽極格納体６に設けられる開口部６ｉｎから陽極１０'を陽極格納体６の内部に挿入して、配置する。陽極１０'は、導線１３の部分で曲がるので、陽極格納体６内に配置した陽極１０'は、図６に示すように、円弧状の陽極格納体６に沿って配置される。消耗した陽極１０'を交換する際には、消耗した陽極１０'を開口部６ｉｎから取り出し、新しい陽極１０'を開口部６ｉｎから陽極格納体６の内部へ挿入する。これにより、陽極１０'が消耗した場合でも、簡単に新しい陽極１０'へ交換することができる。
【００４９】
以上、この実施形態では、サンゴ活着床を陰極とし、また、このサンゴ活着床よりも自然電位が卑であり、かつサンゴ活着床と電気的に接続される陽極を、サンゴ活着床とともに海底に設置される支持手段によって支持する。そして、いわゆる流電陽極法により陽極からサンゴ活着床に向かって電流を流して、サンゴ活着床に活着したサンゴの成長を促進する。このように、いわゆる流電陽極法を用いるので、簡単な構成でサンゴの成長を促進できる。
【００５０】
また、サンゴ造礁用構造物は、簡単な構成であるため大型化しやすく、また、設置海域まで容易に搬送することができ、さらに、設置においては設置海域へ投入すればよいので、比較的容易に設置することができる。これによって、このサンゴ造礁用構造物を投入すれば、サンゴ群集の白化やサンゴの死滅といったサンゴ礁の衰退が起こった海域を広範囲にわたって修復することができる。なお、実施形態１で開示した構成と同様の構成を備えるものは、実施形態１と同様の作用、効果を奏する。また、実施形態１で開示した構成は、以下の実施形態でも適用することができる。
【００５１】
（実施形態２）
実施形態２は、実施形態１と同様の構成であるが、網状のサンゴ活着床を円弧状の支持体に取り付ける点が異なる。他の構成は実施形態１と同様である。
【００５２】
図９は、実施形態２に係るサンゴ造礁用構造物の構成を示す正面図である。図１０は、実施形態２に係るサンゴ造礁用構造物の構成を示す平面図である。図１１は、実施形態２に係るサンゴ造礁用構造物の構成を示す側部図である。このサンゴ造礁用構造物１ａは、網状のサンゴ活着床１１ａを備えている。そして、サンゴ造礁用構造物１を海底Ｂに設置して、サンゴ活着床１１ａに活着させたサンゴＣを育成する。このサンゴ造礁用構造物１でも、実施形態１に係るサンゴ造礁用構造物１（図１等参照）と同様に流電陽極法を用いてサンゴの活着及び成長を促進させるものであり、サンゴ活着床１１ａが陽極１０ａに対する陰極となる。
【００５３】
このサンゴ造礁用構造物１ａは、例えば柱状の鋼やステンレス鋼を円弧状に形成した支持体７を支持手段として備え、この支持体７によって網状のサンゴ活着床１１ａ及び陽極１０ａを支持する。支持体７は、柱状の陽極１０ａの軸方向（長手方向）と直交し、かつ陽極１０ａの軸方向（長手方向）に向かって複数配置されている。
【００５４】
支持体７の両端部には、それぞれ底板９が取り付けられている。支持体７と底板９とは、補強部材である連結板８によって連結されており、支持体７の取付部における強度を向上させている。網状のサンゴ活着床１１ａは、隣接する支持体７の間に配置され、支持体７に固定される。また、陽極１０ａは、陽極支持部材１２を介して支持体７に固定される。実施形態１に係るサンゴ造礁用構造物１と同様に、サンゴ活着床１１ａは流電陽極法における陰極となり、陽極１０ａと電気的に接続される。
【００５５】
この実施形態に係るサンゴ造礁用構造物１ａを海底Ｂに設置する際には、例えば人工のライブロック４を底板９の上に載置して、サンゴ造礁用構造物１ａの錘とする。このサンゴ造礁用構造物１ａは、コンクリートの構造物を含まないため質量が小さいので、ライブロック４を用いてサンゴ造礁用構造物１ａを安定させることが好ましい。また、ライブロック４にもサンゴを活着させることができる。
【００５６】
図１２、図１３は、陽極を交換可能とした場合の構成例を示す概念図である。この構成は、複数の陽極要素１０Ｅを連結して陽極１０ａ'を構成するとともに、絶縁体で構成される陽極格納体１５内へ陽極１０ａ'を配置するものである。図１２、図１３に示すように、陽極格納体１５は網状の筒で構成されて、内部に陽極１０ａ'を格納できるようになっている。陽極格納体１５は、陽極支持部材１２を介して支持体７に固定される。また、陽極格納体１５の両端部には開口部が設けられており、陽極１０ａ'を陽極格納体１５に出し入れする。
【００５７】
図１２に示すように、陽極１０ａ'は、複数の陽極要素１０Ｅを導体で構成される導線１３で連結する。これによって、複数の陽極要素１０Ｅは、すべて電気的に接続される。サンゴ造礁用構造物１ａ（例えば図９参照）を使用する際には、陽極格納体１５の端部から陽極１０ａ'を陽極格納体１５の内部に挿入して、配置する。そして、陽極１０ａ'の導線１３は、陰極であるサンゴ活着床１１ａに接続される導線１４と、コネクタ１６を介して電気的に接続される。これにより、陽極１０ａ'が消耗した場合でも、簡単に新しい陽極１０ａ'へ交換することができる。
【００５８】
陽極格納体１５内へ配置する陽極は、１本の棒状のものとしてもよい。しかし、サンゴ造礁用構造物１ａの長手方向の寸法は１０ｍ〜３０ｍ程度と大きいため、陽極の長さも大きくなり、交換や取扱に不便である。この実施形態に係る陽極１０ａ'のように、複数の陽極要素１０Ｅを導体で構成される導線１３で連結すれば、陽極１０ａ'を導線１３の部分で曲げることができる。これによって、サンゴ造礁用構造物１ａの設置海域まで陽極１０ａ'を持ち運ぶ際には折り畳むことができるので、収納スペースを小さくでき、また、交換や取扱も容易になる。
【００５９】
以上、この実施形態では、サンゴ活着床を陰極とし、また、このサンゴ活着床よりも自然電位が卑であり、かつサンゴ活着床と電気的に接続される陽極を、サンゴ活着床とともに海底に設置される支持手段によって支持する。そして、いわゆる流電陽極法により陽極からサンゴ活着床に向かって電流を流して、サンゴ活着床に活着したサンゴの成長を促進する。このように、いわゆる流電陽極法を用いるので、簡単な構成でサンゴの成長を促進できる。
【００６０】
また、サンゴ造礁用構造物は、簡単な構成であるため大型化しやすく、また、設置海域まで容易に搬送することができ、さらに、設置においては設置海域へ投入すればよいので、比較的容易に設置することができる。これによって、このサンゴ造礁用構造物を投入すれば、サンゴ群集の白化やサンゴの死滅といったサンゴ礁の衰退が起こった海域を広範囲にわたって修復することができる。
【００６１】
さらに、柱状の部材を円弧状に形成した支持手段に沿って、サンゴ活着床を取り付けるので、サンゴ造礁用構造物の軽量化を図ることができる。なお、実施形態２で開示した構成と同様の構成を備えるものは、実施形態２と同様の作用、効果を奏する。また、実施形態２で開示した構成は、以下の実施形態でも適用することができる。
【００６２】
（実施形態３）
図１４、図１５は、実施形態３に係るサンゴ活着床の一例を示す説明図である。図１６は、サンゴが活着した状態のサンゴ活着床を示す説明図である。図１７、図１８は、実施形態３に係るサンゴ活着床の他の例を示す説明図である。図１４は、上記実施形態１に係るサンゴ造礁用構造物に実施形態３に係るサンゴ活着床を適用した状態を示し、図１５は、上記実施形態２に係るサンゴ造礁用構造物に実施形態３に係るサンゴ活着床を適用した状態を示す。
【００６３】
実施形態３では、サンゴ造礁用構造物が備えるサンゴ活着床の他の構成を説明する。このサンゴ活着床１１ｂは、流電陽極法における陰極材料（鋼やステンレス鋼等の金属）で構成される網状の部材を波状に折り曲げ、山部Ｍと谷部Ｖとを交互に形成する。図１４、図１５、図１６に示すサンゴ活着床１１ｂは、山部Ｍ及び谷部Ｖが曲面状に形成されている。また、図１７に示すサンゴ活着床１１ｃは、山部Ｍ及び谷部Ｖが直線状に形成されている。
【００６４】
図１８に示すサンゴ活着床１１ｄは、図１４〜図１７に示すサンゴ活着床１１ｂ、１１ｃと同様に、陰極材料で構成される網状の部材を波状に折り曲げて、山部Ｍと谷部Ｖとを交互に形成して着底手段とする。このサンゴ活着床１１ｄは、略コの字形状を連続させた断面形状としてある。これによって、このサンゴ活着床１１ｄは、山部Ｍ及び谷部Ｖが平面状に形成される。このように、山部Ｍ及び谷部Ｖが平面状に形成される場合も、波状の概念に含まれるものとする。
【００６５】
このサンゴ活着床１１ｂ、１１ｃ、１１ｄは、谷部Ｖにサンゴのプラヌラ幼生が集まりやすくなるので、海中におけるプラヌラ幼生の捕獲効率が向上する。また、図１６に示すように、谷部Ｖに活着したサンゴＣは、山部Ｍが防護部となってサンゴＣを食害する魚類Ｆから保護される。このとき、谷部Ｖの開口寸法Ｈ（隣接する山部Ｍ同士の距離に相当する）は、プラヌラ幼生やポリプ等を食べる魚類の大きさを想定して決定する。
【００６６】
図１９は、実施形態３に係るサンゴ活着床一例をサンゴ造礁用構造物が備える支持体の側部に取り付けた例を示す説明図である。図１９は、図１７に示すサンゴ活着床１１ｃを、実施形態１に係るサンゴ造礁用構造物が備える支持体の側部に取り付けた状態を示している。このサンゴ造礁用構造物１ｂは、コンクリート製の支持体２'の側部２Ｓ'を階段状に形成し、ここに図１７に示すサンゴ活着床１１ｃを取り付けてある。このようにすれば、支持体２'の側部２Ｓ'がサンゴ活着床１１ｃの形状に合うので、サンゴ活着床１１ｃを支持体２'の側部２Ｓ'に安定して取り付けることができる。
【００６７】
（変形例）
図２０〜図２２は、実施形態３の変形例に係るサンゴ活着床を示す説明図である。図２３は、サンゴが活着した状態のサンゴ活着床を示す説明図である。図２０は、上記実施形態１に係るサンゴ造礁用構造物に実施形態３の変形例に係るサンゴ活着床を適用した状態を示し、図２１は、上記実施形態２に係るサンゴ造礁用構造物に実施形態３の変形例に係るサンゴ活着床を適用した状態を示す。
【００６８】
このサンゴ活着床１１ｆは、流電陽極法における陰極材料（鋼やステンレス鋼等の金属）で構成される網状かつ板状の部材を複数用意し、前記部材の端部をサンゴ造礁用構造物１ｃ、１ｄの外側に向けて、ブラインド状に配置する。図２０に示すサンゴ造礁用構造物１ｃでは、フレーム１７に複数のサンゴ活着床１１ｆを取り付けてある。サンゴ活着床１１ｆのサンゴ活着面１１ｆｐは、フレーム１７と略直交するように配置される。また、図２１に示すサンゴ造礁用構造物１ｄでは、支持体７に複数のサンゴ活着床１１ｆを取り付けてある。サンゴ活着床１１ｆのサンゴ活着面１１ｆｐは、サンゴ活着床１１ｆと円弧状に形成された支持体７との取付部における支持体７の接線と略直交するように取り付けてある。
【００６９】
これによって、サンゴ造礁用構造物１ｃ、１ｄでは、サンゴ活着床１１ｆの端部がサンゴ造礁用構造物１ｃ、１ｄの外側に向くように構成される。その結果、サンゴ活着床１１ｆの端部がサンゴ造礁用構造物１ｃ、１ｄから突出するので、サンゴＣを食べる魚類Ｆに対しては、サンゴ造礁用構造物１ｃ、１ｄから吐出するサンゴ活着床１１ｆの端部がサンゴＣの防護部となって、前記魚類からサンゴＣを保護することができる。
【００７０】
以上、この実施形態では、サンゴ活着床を網状にしたり、板状の部材の端部をサンゴ造礁用構造物の外側に向かって突出させたりするので、サンゴを食害する魚類から、サンゴ活着床に活着したサンゴを保護することができる。なお、実施形態３で開示した構成と同様の構成を備えるものは、実施形態３と同様の作用、効果を奏する。また、実施形態３で開示した構成は、以下の実施形態でも適用することができる。
【００７１】
（実施形態４）
図２４、図２５は、実施形態４に係るサンゴ活着床の説明図である。この実施形態においては、陽極をサンゴ活着床１０Ａとしている。陽極であるサンゴ活着床１０Ａは、金属棒や金属の線材を格子状に組み合わせて構成される網状の陰極１１Ａに取り付けられる。サンゴ活着床１０Ａは、例えば、鋼材で製造される。陰極１１Ａとサンゴ活着床１０Ａとは、電気的に接続される。
【００７２】
陰極１１Ａは、例えばステンレス鋼やカーボン等のように、鋼よりも貴な電位の金属で構成される。サンゴ活着床１０Ａから陰極１１Ａへ流れる電流密度が大きすぎると、サンゴ活着床１０Ａが過剰に溶解するので、陰極１１Ａの面積に対するサンゴ活着床１０Ａの面積の比で電流密度を調整する。このような構成により、サンゴ活着床１０Ａにサンゴを活着させ、海中で育成してもよい。
【００７３】
例えば、海中に鋼材で製造した構造物を設置する際に鋼材をハンマー等で打ち付けた部分は活性化して腐食しやすくなる。このような部分は、周囲の黒皮を陰極としたマイクロセルが形成されて、鋼材の腐食が促進される。そして、このような、鋼材が腐食した部分にはサンゴが良く定着し、成長するという現象が確認されている。したがって、鋼材で陽極であるサンゴ活着床１０Ａを構成し、かつ鋼よりも貴な電位の金属で陰極１１Ａを構成すれば、サンゴ活着床１０Ａの腐食が促進されることにより、サンゴ活着床１０Ａに定着したプラヌラ幼生の成長が促進されるという利点がある。
【産業上の利用可能性】
【００７４】
以上のように、本発明に係るサンゴ造礁用構造物は、サンゴを人工的に増殖させることに有用であり、特に、サンゴ群集の白化やサンゴの死滅といったサンゴ礁の衰退が起こった海域を広範囲にわたって修復することに適している。
【図面の簡単な説明】
【００７５】
【図１】実施形態１に係るサンゴ造礁用構造物の構成を示す正面図である。
【図２】実施形態１に係るサンゴ造礁用構造物の構成を示す平面図である。
【図３】実施形態１に係るサンゴ造礁用構造物の構成を示す側部図である。
【図４−１】実施形態１に係るサンゴ造礁用構造物で採用する流電陽極法を説明するための概念図である。
【図４−２】実施形態１に係るサンゴ造礁用構造物の他の構成例を示す概念図である。
【図５】陽極を交換可能とした場合の構成例を示す概念図である。
【図６】陽極を交換可能とした場合の他の構成例を示す概念図である。
【図７】陽極を交換可能とした場合の他の構成例を示す概念図である。
【図８】陽極を交換可能とした場合の他の構成例を示す概念図である。
【図９】実施形態２に係るサンゴ造礁用構造物の構成を示す正面図である。
【図１０】実施形態２に係るサンゴ造礁用構造物の構成を示す平面図である。
【図１１】実施形態２に係るサンゴ造礁用構造物の構成を示す側部図である。
【図１２】陽極を交換可能とした場合の構成例を示す概念図である。
【図１３】陽極を交換可能とした場合の構成例を示す概念図である。
【図１４】実施形態３に係るサンゴ活着床の一例を示す説明図である。
【図１５】実施形態３に係るサンゴ活着床の一例を示す説明図である。
【図１６】サンゴが活着した状態のサンゴ活着床を示す説明図である。
【図１７】実施形態３に係るサンゴ活着床の他の例を示す説明図である。
【図１８】実施形態３に係るサンゴ活着床の他の例を示す説明図である。
【図１９】実施形態３に係るサンゴ活着床一例をサンゴ造礁用構造物が備える支持体の側部に取り付けた例を示す説明図である。
【図２０】実施形態３の変形例に係るサンゴ活着床を示す説明図である。
【図２１】実施形態３の変形例に係るサンゴ活着床を示す説明図である。
【図２２】実施形態３の変形例に係るサンゴ活着床を示す説明図である。
【図２３】サンゴが活着した状態のサンゴ活着床を示す説明図である。
【図２４】実施形態４に係るサンゴ活着床の説明図である。
【図２５】実施形態４に係るサンゴ活着床の説明図である。
【符号の説明】
【００７６】
１、１'、１ａ、１ｂ、１ｃ、１ｄ  サンゴ造礁用構造物
２、２'、７  支持体
２Ｓ、２Ｓ'  側部
３  底側連結部材
４  ライブロック
５  取付座
６、１５  陽極格納体
８  連結板
９  底板
１０Ａ  サンゴ活着床
１０Ｅ  陽極要素
１０、１０ａ、１０ａ'  陽極
１１Ａ  陰極
１１、１１ａ、１１ｂ、１１ｃ、１１ｄ、１１ｆ、  サンゴ活着床
１１ｆｐ  サンゴ活着面
１２  陽極支持部材
１３、１４  導線
【図１】
0004652262.tif 000002
【図２】
0004652262.tif 000003
【図３】
0004652262.tif 000004
【図４−１】
0004652262.tif 000005
【図４−２】
0004652262.tif 000006
【図５】
0004652262.tif 000007
【図６】
0004652262.tif 000008
【図７】
0004652262.tif 000009
【図８】
0004652262.tif 000010
【図９】
0004652262.tif 000011
【図１０】
0004652262.tif 000012
【図１１】
0004652262.tif 000013
【図１２】
0004652262.tif 000014
【図１３】
0004652262.tif 000015
【図１４】
0004652262.tif 000016
【図１５】
0004652262.tif 000017
【図１６】
0004652262.tif 000018
【図１７】
0004652262.tif 000019
【図１８】
0004652262.tif 000020
【図１９】
0004652262.tif 000021
【図２０】
0004652262.tif 000022
【図２１】
0004652262.tif 000023
【図２２】
0004652262.tif 000024
【図２３】
0004652262.tif 000025
【図２４】
0004652262.tif 000026
【図２５】
0004652262.tif 000027